(57)【要約】【課題】装置情報を安全に保持することができ、万が一装置内の記憶媒体等に記憶された装置情報が消失するような事態に陥っても、それを復元することができる情報通信システムを提供する。【解決手段】ＬＡＮに接続された少なくとも一つ以上の他の装置と通信可能な通信装置は、当該通信装置自身に関する装置情報を記憶するメモリユニットＡ３０４と、他の装置の装置情報を記憶するメモリユニットＢ３０５とを備え、当該通信装置の装置情報を他の装置に記憶させる。そして、メモリユニットＡ３０４に記憶された装置情報に変化が生じた場合、他の装置に対して他の装置に記憶された当該通信装置の装置情報の送信を要求する。そして、メモリユニットＡ３０４は他の装置から送信された装置情報を変化が生じた装置情報に代えて記憶する。【選択図】　図３
2004145532.tif 000002
【特許請求の範囲】
【請求項１】
第１の装置と第２の装置とが通信回線で接続された情報通信システムであって、
前記第１の装置が、
該第１の装置に関する装置情報を記憶する第１の記憶手段と、
前記装置情報を前記第２の装置に記憶させる制御手段と、
前記第１の記憶手段に記憶された前記装置情報に変化が生じた場合、前記第２の装置に対して該第２の装置に記憶された前記装置情報の送信を要求する要求手段と、
前記第２の装置から送信された前記装置情報を受信する受信手段とを備え、
前記第２の装置が、
前記第１の装置に関する前記装置情報を記憶する第２の記憶手段と、
前記第１の装置からの要求のみに応じて、前記第２の記憶手段に記憶された前記装置情報を読み出し可能とする読み出し手段と、
前記第１の装置からの要求に応じて読み出された前記装置情報を前記第１の装置に送信する送信手段とを備え、
前記第１の記憶手段が、変化が生じた前記装置情報に代えて前記受信手段で受信された前記装置情報を記憶する
ことを特徴とする情報通信システム。
【発明の詳細な説明】
【０００１】
【発明の属する技術分野】
本発明は、ネットワーク上に接続された装置の装置情報が消失した場合に好適に復元することに関する。
【０００２】
【従来の技術】
今日の電子写真装置においては、高精度／高機能という性能がユーザにより求められている背景から、個々の装置に関する様々な装置情報データが機内に保持されるということが一般的に行われている。
【０００３】
例えば、装置情報データには、装置固有の特性差を吸収し、装置間でばらつきのない性能を維持するための調整値、装置の使用状況や使用経過により装置の経年変化に対する性能維持に役立てるための履歴情報、オペレータが装置の使用に際してよく使われる一連の処理手順を記憶させて、後で簡単に呼び出し、実行することができるようにするためのいわゆるモードメモリ、或いは、電話やファクシミリ、ローカルエリアネットワーク（ＬＡＮ）による電子メール等の通信手段を電子写真装置が有する場合には、そのための電話番号、ファクシミリ番号や電子メールアドレス等がある。このように、必要とされる装置情報データは多種多様に渡り、装置構成上大変重要な意味を持っている。
【０００４】
これらの装置情報は、通常、それぞれの装置内のバックアップメモリやハードディスク（ＨＤ）等の不揮発性記憶媒体に記憶されており、装置本体の電源が停止された場合においても消去されることなく保持されることが前提となっている。
【０００５】
【発明が解決しようとする課題】
しかしながら、装置に不慮の事故等が発生や、オペレータによる誤操作等によって、記憶媒体に記憶されている重要な装置情報が消失してしまうことがある。この場合、モードメモリ、電話番号、ファクシミリ番号や電子メールアドレス等のユーザが設定した情報であれば、改めて必要な情報を始めから入力し直さなければならない。また、ファクシミリ番号や電話番号のように情報量が多量にあるようなものについては、ユーザが意識して情報を保持するようにしていなければ復元不能なものもあり、ユーザは多大な不利益を強いられることがあった。
【０００６】
さらに、工場出荷の際の調整値等の装置の特性差を吸収するような情報である場合には、再度複雑な調整を行う必要が生じたりする場合もあった。さらにまた、装置の使用状況に関する履歴情報が消失してしまった場合、通常、ユーザは該情報の保持を意識しているわけではないため、ほとんどの場合で情報は消失され復元することができなくなってしまう。従って、装置の経時変化を考慮して履歴情報を装置制御に利用している場合には、正しい画像形成動作が行われなくなる可能性もあった。
【０００７】
このような重要な装置情報が失われた場合の損失を考慮し、画像形成装置によっては別途これらの装置情報を記憶するためのバックアップ用の記憶媒体を有することもある。その場合にはオペレータの誤操作による情報消失は起こりにくくなるものの、装置に不慮の事故が発生した場合にはバックアップ用の記憶媒体の情報消失を回避できる手立てとはなりえなかった。
【０００８】
また、こうした重要な装置情報をネットワークに接続されたサーバ端末に逐次バックアップすることで最悪でも装置情報が消失してしまうことを回避できるが、その場合には装置情報を記憶させるためのサーバ端末が別途必要となるという問題もあった。
【０００９】
本発明は、このような事情を考慮してなされたものであり、サーバ端末等のバックアップ手段を必要とせず、装置情報を安全に保持することができ、万が一装置内の記憶媒体等に記憶された装置情報が消失するような事態に陥っても、それを復元することができる情報通信システムを提供することを目的とする。
【００１０】
【課題を解決するための手段】
上記課題を解決するために、本発明は、第１の装置と第２の装置とが通信回線で接続された情報通信システムであって、前記第１の装置が、該第１の装置に関する装置情報を記憶する第１の記憶手段と、前記装置情報を前記第２の装置に記憶させる制御手段と、前記第１の記憶手段に記憶された前記装置情報に変化が生じた場合、前記第２の装置に対して該第２の装置に記憶された前記装置情報の送信を要求する要求手段と、前記第２の装置から送信された前記装置情報を受信する受信手段とを備え、前記第２の装置が、前記第１の装置に関する前記装置情報を記憶する第２の記憶手段と、前記第１の装置からの要求のみに応じて、前記第２の記憶手段に記憶された前記装置情報を読み出し可能とする読み出し手段と、前記第１の装置からの要求に応じて読み出された前記装置情報を前記第１の装置に送信する送信手段とを備え、前記第１の記憶手段が、変化が生じた前記装置情報に代えて前記受信手段で受信された前記装置情報を記憶することを特徴とする。
【００１１】
【発明の実施の形態】
本実施形態では、ＬＡＮに代表されるネットワーク上に接続されたプリンタ等の画像形成装置がデータ送受信機能を有する場合を例として、同一ネットワーク上に接続された他の画像形成装置との間で互いの装置情報を送受信し、装置情報を相互にバックアップし合うような情報通信システムを提供する。
【００１２】
以下、図面を参照して、本発明の一実施形態に係る画像形成装置を備える情報通信システムについて説明する。
【００１３】
図２は、本発明の一実施形態に係る画像形成装置の詳細を示す構成図である。図２に示すように、画像形成装置は、大きく分けて、カラーリーダ部１とプリンタ部２とから構成されている。
【００１４】
［カラーリーダ部１の構成］
まず、画像形成装置のカラーリーダ部１の構成について説明する。
【００１５】
図２に示すように、カラーリーダ部１内において、１０１はＣＣＤ、２１１はＣＣＤ１０１が実装された基板、２００は画像形成装置全体を制御する制御部、２１２はディジタル画像処理部（図１の画像処理部の１０１を除いた部分を含むプリンタ処理部）、２０１は原稿台ガラス（プラテン）、２０２は原稿給紙装置（ＤＦ）である。尚、原稿給紙装置２０２の代わりに未図示の鏡面圧板を装着する構成であってもよい。
【００１６】
また、２０３及び２０４は原稿を照明する光源（ハロゲンランプ又は蛍光灯）、２０５及び２０６は光源２０３及び２０４の光を原稿に集光する反射傘、２０７〜２０９はミラー、２１０は原稿からの反射光又は投影光をＣＣＤ１０１上に集光するレンズ、２１４はハロゲンランプ２０３、２０４と反射傘２０５、２０６とミラー２０７を収容するキャリッジ、２１５はミラー２０８、２０９を収容するキャリッジ、２１３は他のデバイスとの外部インタフェース（Ｉ／Ｆ）である。尚、キャリッジ２１４は速度Ｖで、キャリッジ２１５は速度Ｖ／２で、ＣＣＤ１０１の電気的走査（主走査）方向に対して垂直方向に機械的に移動することによって、原稿の全面を走査（副走査）する。
【００１７】
ここで、制御部２００の詳細について説明する。図３は、本実施形態に係る画像形成装置のカラーリーダ部１内の制御部２００の細部構成を示すブロック図である。制御部２００は、図３に示すように、ディジタル画像処理部２１２と外部Ｉ／Ｆ２１３、プリンタ制御Ｉ／Ｆ２５３に対してそれぞれ制御を行うための情報をやり取りするＩ／Ｆを持つＣＰＵ３０１と、操作部３０２とを有する。操作部３０２は、例えば、操作者による処理実行内容の入力や操作者に対する処理に関する情報及び警告等通知のためのタッチパネル付き液晶により構成される。
【００１８】
また、外部Ｉ／Ｆ２１３は、画像情報やコード情報等を画像処理装置外部とやり取りするためのインタフェースである。図４は、本実施形態に係る画像形成装置を接続可能な各種装置との接続するための機構について示す概要図である。具体的には図４に示すように、画像形成装置は、外部Ｉ／Ｆ２１３を介してファクシミリ装置４０１やＬＡＮインタフェース装置４０２等と接続することが可能である。
【００１９】
ここで、ファクシミリ装置４０１やＬＡＮインタフェース装置４０２との画像情報及びコード情報のやり取り手続き制御については、各接続装置であるファクシミリ装置４０１やＬＡＮインタフェース装置４０２と制御部２００におけるＣＰＵ３０１との相互通信により行われる。また、ＬＡＮインタフェース装置４０２による画像処理装置外部とやり取りの中には、本実施形態における画像形成装置と同一或いは同種の他の画像形成装置との間のＬＡＮ等のネットワークを介した画像情報及びコード情報等のやり取りも含まれる。
【００２０】
図３に示すように、制御部２００は、さらに、２つのメモリユニットＡ３０４、メモリユニットＢ３０５を有する。メモリユニットＡ３０４とメモリユニットＢ３０５は共に不図示のバックアップ電源に接続されており、画像形成装置本体の電源が停止中であっても常時電力が供給されるようになっており、記録されている情報を常に保持することが可能である。また、メモリユニットＡ３０４及びメモリユニットＢ３０５は、いずれもデータバスコントローラ３０３によって外部Ｉ／Ｆ２１３に接続されている。データバスコントローラ３０３は、内部にスイッチャを持ち、メモリユニットＡ３０４及びメモリユニットＢ３０５の任意のどちらかに対して、ＣＰＵ３０１を介することなく外部とのデータ交換が可能な構成になっている。
【００２１】
尚、図３に示すように、本実施形態では、メモリユニットＡ３０４がＣＰＵ３０１にバス接続され、ＣＰＵ３０１からの記録情報の読み書きが可能である。一方、メモリユニットＢ３０５はＣＰＵ３０１からのバス接続がない。従って、メモリユニットＢ３０５はＣＰＵ３０１から直接の記録情報の読み書きが不可能である。また、ＣＰＵ３０１には、暗号化回路３０６が接続されており、メモリユニットＡ３０４（ＣＰＵ３０１がメモリユニットＢ３０５に接続している場合は、メモリユニットＢ３０５）に記憶されたデータを暗号化することが可能である。
【００２２】
次に、ディジタル画像処理部２１２の詳細な説明を行う。図１は、本実施形態に係るカラーリーダ部１内のディジタル画像処理部２１２の詳細な構成を示すブロック図である。
【００２３】
まず、原稿台ガラス２０１上の原稿は光源２０３、２０４からの光を反射し、その反射光はＣＣＤ１０１に導かれて電気信号に変換される。ここで、ＣＣＤ１０１がカラーセンサの場合、ＲＧＢのカラーフィルタが１ラインＣＣＤ上にＲＧＢ順にインラインに乗ったものでも、３ラインＣＣＤにおいて、Ｒフィルタ、Ｇフィルタ、ＢフィルタをそれぞれのＣＣＤごとに並べたものであっても構わない。また、フィルタがオンチップ化、又は、フィルタがＣＣＤと別構成になったものであっても構わない。
【００２４】
そして、その電気信号（アナログ画像信号）がディジタル画像処理部２１２に入力され、まず、クランプ＆Ａｍｐ．＆Ｓ／Ｈ＆Ａ／Ｄ部１０２でサンプルホールド（Ｓ／Ｈ）され、アナログ画像信号のダークレベルを基準電位にクランプし、所定量に増幅され（但し、上記処理順番は表記順とは限らない。）、Ａ／Ｄ変換されて、例えばＲＧＢ各８ビットのディジタル信号に変換される。続いて、ＲＧＢ信号は、シェーディング部１０３においてシェーディング補正及び黒補正が施される。
【００２５】
補正後のＲＧＢ信号は、さらに、つなぎ＆ＭＴＦ補正補正＆原稿検知部１０４に入力し、ＣＣＤ１０１が３ラインＣＣＤの場合、つなぎ処理はライン間の読取位置が異なるため、読取速度に応じてライン毎の遅延量を調整し、３ラインの読取位置が同じになるように信号タイミングを補正し、ＭＴＦ補正は読取速度や変倍率によって読取のＭＴＦが変るため、その変化を補正し、原稿検知は原稿台ガラス上の原稿を走査することにより原稿サイズを認識する。そして、読取位置タイミングが補正されたディジタル信号は、入力マスキング部１０５によって、ＣＣＤ１０１の分光特性及び光源２０３、２０４及び反射傘２０５、２０６の分光特性を補正する。入力マスキング部１０５の出力は、外部Ｉ／Ｆ信号との切り換え可能なセレクタ１０６に入力される。
【００２６】
セレクタ１０６から出力された信号は、色空間圧縮＆下地除去＆ＬＯＧ変換部１０７と下地除去部１１５に入力される。下地除去部１１５に入力された信号は、下地除去された後、原稿中の原稿の黒い文字かどうかを判定する黒文字判定部１１６に入力され、原稿から黒文字信号を生成する。
【００２７】
また、セレクタ１０６のもう一つの出力が入力された色空間圧縮＆下地除去＆ＬＯＧ変換部１０７では、色空間圧縮は読み取った画像信号がプリンタで再現できる範囲に入っているかどうか判断し、入っている場合はそのままとし、入っていない場合は画像信号をプリンタで再現できる範囲に入るように補正する。そして、下地除去処理を行い、ＬＯＧ変換でＲＧＢ信号からＣＭＹ信号に変換する。そして、黒文字判定部１１６で生成された信号とタイミングを補正するため色空間圧縮＆下地除去＆ＬＯＧ変換部１０７の出力信号は遅延１０８でタイミングを調整される。
【００２８】
この２種類の信号はモワレ除去部１０９でモワレが除去され、変倍処理部１１０で、主走査方向に変倍処理される。さらに、ＵＣＲ＆マスキング＆黒文字反映部１１１では、変倍処理部１１０で処理された信号（ＣＭＹ信号）はＵＣＲ処理でＣＭＹＫ信号が生成され、マスキング処理部でプリンタの出力にあった信号に補正されると共に、黒文字判定部１１６で生成された判定信号がＣＭＹＫ信号にフィードバックされる。そして、ＵＣＲ＆マスキング＆黒文字反映部１１１で処理された信号はγ補正部１１２で濃度調整された後、フィルタ部１１３でスムージング又はエッジ処理される。このようにして、ディジタル画像処理部２１２で処理された結果、画像データはプリンタ部２に送信される。
【００２９】
［プリンタ部２の構成］
続いて、プリンタ部２の構成について図２を用いて説明する。像担持体としての感光体ドラム（以下、単に「感光体」と称す。）２２５は、図示しないモータで矢印Ａの方向に回転できるように設けられている。感光体２２５の周囲には、一次帯電器２２１、露光装置２１８、黒現像ユニット２１９、カラー現像ユニット２２３、転写帯電器２２０、クリーナ装置２２２が配置されている。
【００３０】
ここで、黒現像装置２１９は、モノクロ現像のための現像装置であり、感光体２２５上の潜像をＫのトナーで現像する。また、カラー現像ユニット２２３は、フルカラー現像のための３台の現像装置２２３Ｙ、２２３Ｍ、２２３Ｃから構成される。現像装置２２３Ｙ、２２３Ｍ、２２３Ｃは、感光体２２５上の潜像をそれぞれＹ、Ｍ、Ｃのトナーで現像する。各色のトナーを現像する際には、図示しないモータによって現像ユニット２２３を矢印Ｒ方向に回転させ、当該色の現像装置が感光体２２５に当接するように位置が合わされる。
【００３１】
感光体２２５上に現像された各色のトナー像は、転写帯電器２２０によって中間転写体としてのベルト２２６に順次転写されて、４色のトナー像が重ね合わされる。ベルト２２６はローラ２２７、２２８、２２９によって張架されている。これらのうち、ローラ２２７は図示しない駆動源に結合されてベルト２２６を駆動する駆動ローラとして機能し、ローラ２２８はベルト２２６の張力を調節するテンションローラとして機能し、ローラ２２９は二次転写装置としての転写ローラ２３１のバックアップローラとして機能する。
【００３２】
また、転写ローラ脱着ユニット２５０は、転写ローラ２３１をベルト２２６に接着、若しくは離脱させるための駆動ユニットである。ベルト２２６を挟んでローラ２２７と対向する位置にはベルトクリーナ２３２が設けられている。ベルトクリーナ脱着ユニット２６８は、ベルトクリーナ２３２をベルト２２６に接着、若しくは離脱させるための駆動ユニットである。ベルトクリーナ脱着ユニット２６８によってベルトクリーナ２３２が着方向に動作することによって、ベルト２２６上の残留トナーがブレードで掻き落とされる。
【００３３】
カセット２４０、２４１及び手差し給紙部２５３に格納された記録用シート媒体は、レジローラ２５５及び給紙ローラ対２３５、２３６、２３７によってニップ部、すなわち二次転写装置２３１とベルト２２６との当接部に給送される。尚、その際、二次転写装置２３１は転写ローラ脱着ユニット２５０を当接方向に駆動させることによってベルト２２６に当接されている。ベルト２２６上に形成されたトナー像は、このニップ部で記録用シート媒体上に転写され、定着装置２３４で熱定着されて装置外へ排出される。
【００３４】
尚、カセット２４０、２４１及び手差し給紙部２５３は、それぞれ記録用シート媒体の有無を検知するためのシート検知センサ２４３、２４４、２４５を有している。また、カセット２４０、２４１及び手差し給紙部２５３は、それぞれ記録用シート媒体のピックアップ不良を検知するための給紙センサ２４７、２４８、２４９を有している。
【００３５】
上記構成によるプリンタ部２では、次のようにして画像形成が実行される。まず、給紙部における記録用シート媒体の搬送動作について説明する。カセット２４０、２４１及び手差し給紙部２５３に格納された記録用シート媒体はピックアップローラ２３８、２３９、２５４により１枚毎に給紙パス２６６上に搬送される。給紙パス２６６上の記録用シート媒体は、給紙ローラ対２３５、２３６、２３７によりレジローラ２５５へと搬送されると、その直前のレジセンサ２５６により記録用シート媒体の通過が検知される。
【００３６】
本実施形態では、レジセンサ２５６により記録用シート媒体の通過が検知された時点から適当な時間経過の後、一端搬送動作を中断する。その結果、記録用シート媒体は停止しているレジローラ２５５に突き当たり搬送が停止されるが、その際記録用シート媒体の進行方向端部が搬送経路に対して垂直になるように位置固定がなされ、記録用シート媒体の搬送方向が搬送経路に対してずれることにより斜行が発生している場合の給紙パス搬送方向補正がなされる。この処理を通常「給紙レジ取り」という。給紙レジ取りは、以降の記録用シート媒体に対する画像形成方向の傾きを最小化するために必須となる。給紙レジ取り後、レジローラ２５５を起動させることにより、記録用シート媒体は二次転写装置２３１へ供給される。
【００３７】
続いて、二次転写装置２３１へ供給された記録用シート媒体の上へ画像を形成する手順について説明する。まず、帯電装置２２１に電圧を印加して感光体２２５の表面を予定の帯電部電位で一様にマイナス帯電させる。続いて、帯電された感光体２２５上の画像部分が予定の露光部電位になるようにレーザースキャナからなる露光装置２１８で露光を行って潜像を形成する。露光装置２１８は、画像信号に基づいてオン／オフすることにより、画像に対応した潜像を形成する。
【００３８】
黒現像装置２１９及びカラー現像装置２２３の現像ローラには、各色毎に予め設定された現像バイアスが印加されており、形成された潜像は現像ローラの位置を通過時にトナーで現像され、トナー像として可視化される。トナー像は転写装置２２０でベルト２２６に転写され、さらに二次転写装置２３１で、カセット２４０、２４１又は手差し給紙部２５３より搬送された記録用シート媒体に転写された後、定着搬送ベルト２３０を介して、定着装置２３４へと搬送される。定着装置２３４では、まずトナーの吸着力を補って画像乱れを防止するために、定着前帯電器２５１、２５２で帯電され、さらに定着ローラ２３３でトナー画像が熱定着された後、そのまま排紙トレー２４２に排紙される。
【００３９】
フルカラープリント時は、ベルト２２６上で４色のトナーが重ね合わされた後、記録用シート媒体に転写される。また、感光体２２５上に残留したトナーは、不図示の予備清掃装置でトナーの帯電をクリーニングしやすい状態にし、クリーナ装置２２２で除去・回収される。そして、最後に、感光体２２５は、不図示の除電装置で一様に０ボルト付近まで除電されて、次の画像形成サイクルに備える。
【００４０】
上記画像形成装置（カラープリンタ）の画像形成タイミングは、ベルト２２６上の所定位置を基準として制御されている。ベルト２２６は前述したように駆動ローラ２２７、テンションローラ２２８、バックアップローラ２２９からなるローラ類に掛け渡されていて、テンションローラ２２８によって所定の張力が与えられている。
【００４１】
ここで、駆動ローラ２２７及びバックアップローラ２２９の間には、基準位置を検知する反射型センサ２２４が配置されている。反射型センサ２２４は、ベルト２６６の外周面端部に設けられた反射テープ等のマーキングを検知してＩ−ｔｏｐ信号を出力する。
【００４２】
感光体２２５の外周の長さとベルト２２６の周長は、１：ｎ（ｎは整数）で表される整数比になっている。このように設定しておくと、ベルト２２６が１周する間に感光体２２５が整数回（ｎ回）回転し、ベルト２２６周前とまったく同じ状態に戻るため、中間転写ベルト２２６上に４色を重ね合わせる際（すなわち、ベルトが４周回る）、感光体２２５の回転ムラによる色ズレを回避することが可能である。
【００４３】
本実施形態に係る画像形成装置では、先に述べたような複雑な制御により画像形成を行うことから、装置固有の特性差を吸収するための各種装置調整情報を有している。例えば、ベルト２６６の外周面端部に設けられた反射テープ等のマーキングには個々の装置によって微妙な位置ずれを含んでいる。従って、４色のカラー画像を位置ずれなく画像形成させるためには、この位置ずれ分を補正するための画像書き出しタイミング調整値を有する必要がある。この値は個々の装置によって微妙に異なるため、工場で調整を行う際に所定の調整情報を装置内のメモリに記憶させ、画像形成を行う際にはその調整情報を用いることで当該装置において最適な画像形成を行うことが可能となる。
【００４４】
また本実施形態では、装置を構成している各部品の使用頻度を記録するためのカウンタ情報を有している。例えば、ピックアップローラ２３８、２３９及び２５４の回転駆動回数情報等がカウンタ情報に該当する。これらのピックアップローラは回転駆動回数が多くなればなるほど、磨耗等の経時変化を生じている可能性が高い。従って、その駆動回数を記録しておき、サービスマン等が適時その数値を調査することによって、ローラ交換が必要か否かの判断を行うことが可能となる。
【００４５】
また、本実施形態では、ピックアップローラ２３８、２３９及び２５４の回転駆動回数情報がある所定回数を越えた場合に、記録用シート媒体の搬送間隔を所定の間隔よりも長く取ることによって、ローラの磨耗によるスリップ等の発生による記録用シート媒体の搬送遅延を許容させるような判断をすることで、記録用シート媒体の搬送エラーを減少させような制御を行っている。
【００４６】
［画像形成装置間の情報通信］
本実施形態において、上述した画像形成装置は、カラーリーダ部１より読み込んだ画像情報等をファクシミリ装置４０１やＬＡＮインタフェース装置４０２を介して外部へと送信することが可能である。尚、ＬＡＮインタフェース装置４０２を介して送信を行う場合には、カラーリーダ部１より読み込んだ画像情報は電子メールに添付されることで所定の送信相手へと送信される。また、送信の際にファクシミリ送信の宛先を示すファクシミリ番号やＬＡＮ送信する際の電子メールアドレス等は、オペレータによって予め入力されることで本装置内に保持されるものである。例えば、本発明に係る画像形成装置にファクシミリ通信手段又は電話通信手段が備わっている場合、装置情報には、当該ファクシミリ通信手段又は電話通信手段において使用可能なファクシミリ番号装置情報又は電話番号装置情報が含まれる。また、当該画像形成装置に電子メール通信手段が備わっている場合、装置情報には、当該電子メール通信手段において使用可能な電子メールアドレス装置情報が含まれる。
【００４７】
また、本実施形態では、画像濃度、色合い、レイアウト、給紙段、記録用シート媒体の種別等の細かな装置動作モードの指示をオペレータによって予め登録するためのいわゆるモードメモリ情報を本装置内に保持する機能も有する。
【００４８】
上述したように、本実施形態に係る画像形成装置は、装置情報として、装置固有の装置調整情報（制御パラメータ装置情報）、カウンタ情報（動作カウンタ装置情報）、ファクシミリ番号、電子メールアドレス、モードメモリ情報、その他の情報（例えば、各種ユーザ設定装置情報）等の様々な情報を保持している。これらの情報は、ＣＰＵ３０１を介してメモリユニットＡ３０４に適時記録される。
【００４９】
これらの情報は装置性能を維持する上、或いは装置のユーザビリティを向上させる上で欠かすことのできない有益な情報であり、これらの情報が消失されることは、ユーザにとって多大なる損失となりうる。しかしながら、例えばこのような情報のうち、ファクシミリ番号、電子メールアドレス、モードメモリ情報のようにユーザによって読み出しや、書き換えを行うような情報については、ユーザの誤操作により誤って消去されてしまうことがある。また、それ以外の情報についても装置故障などの不慮の事故により消去されてしまうことがある。
【００５０】
そこで本実施形態では、これらの装置情報をＬＡＮインタフェース装置４０２を介して同一ネットワーク上に接続された他の画像形成装置に送信し、同装置内のメモリユニットに記憶させておくことで、万が一にある画像形成装置内のメモリユニットにおいて予期せず装置情報が消去されてしまった場合であっても、他の画像形成装置に記憶させた情報から消去された情報を復元することで、装置情報の消失という最悪の事態を回避することが可能となる。
【００５１】
ここで、ＬＡＮインタフェースを介して他の装置に送信することで、装置情報の保全を図る例としては、ＬＡＮネットワーク上のサーバ端末に装置情報を逐次バックアップするという手法も考えられる。しかし、この場合には装置情報を記憶させるためのサーバ端末が別途必要になることは言うまでもない。また、この場合のサーバ端末は、各画像形成装置の重要な装置情報を集中管理しなければならないことから、高い信頼性を備えるに十分な性能、一定期間ごとのバックアップ等を行う必要があり、維持のためにはかなりの労力及び費用が必要となることは避けられない。
【００５２】
これに対し、本実施形態で提案する方法によれば、同一又は同種の画像形成装置間で互いの装置情報を記憶し合うことで、サーバ装置などを新たに設置することなく装置情報の相互保全が可能となる。図５は、本実施形態におけるＬＡＮを介した複数の画像形成装置による装置情報の保全の概要を示す模式図である。図５に示すように、特に、ＬＡＮインタフェース上に接続された画像形成装置の台数が多くなればなるほど、各画像形成装置の装置情報が多くの画像形成装置内で重複して保持されることとなる。従って、装置情報の保全に関する信頼性は相互に装置情報を保持し合う画像形成装置の台数に比例して向上していくこととなる。
【００５３】
このような同一又は同種の画像形成装置間での装置情報の相互保全は、同一のＬＡＮインタフェース上に接続された同一又は同種の機能を持つ画像形成装置同士であること以外に制約条件はない。従って、例えば、ある画像形成装置のユーザが、他の面識のないユーザの所有する同種の画像形成装置に対してバックアップのため装置情報を送信するということも原理的には可能である。
【００５４】
しかしながら、保全の対象である装置情報は、第三者に閲覧されたくないような情報、例えばファクシミリ番号や電子メールアドレス等のようにユーザのプライバシーに関する情報も含まれ得ることから、面識のないユーザの所有する画像形成装置に対して行う場合には、その装置情報がバックアップ先の画像形成装置にて閲覧されないことが必要である。
【００５５】
そこで本実施形態では、他の画像形成装置の装置情報を保持するための専用メモリユニットＢ３０５を有している。図３に示すように、メモリユニットＢ３０５は、データバスコントローラ３０３を介して外部Ｉ／Ｆ２１３に直接接続されている。画像形成装置はＣＰＵ３０１によってデータバスコントローラ３０３を制御し、外部Ｉ／Ｆ２１３から他の画像形成装置の装置情報を受信可能となる。ここで、メモリユニットＢ３０５はＣＰＵ３０１からのバス接続がないため、一旦メモリユニットＢ３０５に受信された他の画像形成装置に関する装置情報の内容については、ＣＰＵ３０１より読み出すことができず、その内容を当該画像形成装置のユーザが閲覧することは不可能である。図６は、本実施形態に係る画像形成装置が読み書き不可能なメモリユニットＢを有し、他の画像形成装置の装置情報の相互保全を行う様子を示す模式図である。
【００５６】
すなわち、本発明は、通信回線（例えば、ローカルエリアネットワーク又はインターネット等）に接続された少なくとも一つ以上の他の装置（例えば、図６のプリンタ２）と通信可能な通信装置（例えば、図６のプリンタ１）として実施可能である。この通信装置は、通信装置自身に関する第１の情報（装置情報）を記憶する第１の記憶手段（例えば、図３のメモリユニットＡ３０４）と、第１の情報を他の装置に記憶させる制御手段と、第１の記憶手段に記憶された第１の情報に変化が生じた場合、他の装置に対して他の装置に記憶された第１の情報の送信を要求する要求手段と、他の装置から送信された第１の情報を受信する受信手段とを備え、第１の記憶手段が、変化が生じた装置情報に代えて受信手段で受信された第１の情報を記憶することを特徴とする。
【００５７】
また、上記通信装置は、他の装置（例えば、図６のプリンタ２）に関する第２の情報（装置情報）を記憶する第２の記憶手段（例えば、図３のメモリユニットＢ３０５）と、他の装置からの要求に応じて、第２の記憶手段に記憶された前記第２の情報を読み出す読み出し手段と、読み出された第２の情報を他の装置に送信する送信手段とをさらに備えることを特徴とする。尚、上記通信装置では、読み出し手段が、他の装置からの要求があった場合にのみ第２の記憶手段に記憶された第２の情報を読み出すようにすることができる。また、上記通信装置では、第１及び第２の記憶手段が、例えば、それぞれ別個の不揮発性メモリユニットで実現可能である。
【００５８】
例えば、図６に示すように、本発明が提案する情報通信システムは、第１の装置（例えば、プリンタ１）と第２の装置（例えば、プリンタ２）とが通信回線（例えば、ＬＡＮネットワーク）で接続されている。そして、第１の装置が、第１の装置に関する装置情報（プリンタ１の装置情報）を記憶する第１の記憶手段（例えば、メモリユニットＡ）と、当該装置情報を第２の装置に記憶させる制御手段と、第１の記憶手段に記憶された装置情報に変化が生じた場合、第２の装置に対して第２の装置に記憶された装置情報の送信を要求する要求手段と、第２の装置から送信された装置情報を受信する受信手段とを備える。一方、第２の装置は、第１の装置に関する装置情報を記憶する第２の記憶手段（例えば、メモリユニットＢ）と、第１の装置からの要求のみに応じて、第２の記憶手段に記憶された装置情報を読み出し可能とする読み出し手段と、第１の装置からの要求に応じて読み出された装置情報を前記第１の装置に送信する送信手段とを備える。そして、このような情報通信システムにおいて、第１の記憶手段が、変化が生じた装置情報に代えて受信手段で受信された装置情報を記憶することを特徴とする。
【００５９】
より詳細には、上記情報通信システムでは、要求手段は、第１の記憶手段に記憶された装置情報の読み出しが不能になった場合に、第２の装置に記憶された第１の装置に関する装置情報の送信を第２の装置に対して要求し、第１の記憶手段が、第２の装置から送信され受信手段で受信した装置情報を用いて読み出し不能になった装置情報を復元することを特徴とする。また、第１及び第２の装置としては、例えば共に電子写真画像形成装置であるような場合が考えられる。
【００６０】
さて、先に述べたように、ある画像形成装置のＣＰＵ３０１から閲覧することが不可能な他の画像形成装置のメモリユニットＢ３０５に対しては、装置情報の秘匿性を維持したままで情報の保全を行うことができる。しかしその一方で、ＬＡＮ上に接続された装置情報の相互保持を行うことの可能な画像形成装置の全てが同様のメモリ構成を有するわけではない。このように同一のＬＡＮ上に接続された他の画像形成装置の装置情報を保持するためだけに用いるメモリユニットを持たせるような本実施形態のような構成は、コストメリットという観点からは不利であることから、必ずしも最適な構成であるとはいえない。しかし、その一方で、上述したようなメモリ構成を有する画像形成装置に対してのみ情報保全を目的とする装置情報の送信を行うとその対象となる画像形成装置が限定されてしまうため、結果的にバックアップを目的とした装置情報の保全性は低下することになる。
【００６１】
また、本実施形態では、次に、上述したように他の画像形成装置に関する装置情報の保全を目的とするＬＡＮを介した情報の受信を行うためのメモリユニットを構成上持たない画像形成装置に対しても情報の保全を目的として装置情報を送信し、かつその内容の閲覧を不可能とするようなシステムを提案する。すなわち、図３に示すように、暗号化回路３０６を用いて暗号化した情報を送信することで装置情報が他の画像形成装置から読み出されてしまうことを回避している。
【００６２】
図７は、本実施形態に係る画像形成装置の制御部２００内の暗号化回路３０６の構成を示すブロック図である。図７に示すように、ＣＰＵ３０１はメモリユニットＡ３０４に記録された装置情報を暗号化を行うためにデータ送信バス７０１に転送する。データ送信バス７０１を介して送信されてきた装置情報は、暗号化鍵情報読み取り部７０２より読み出された鍵情報に基づき、暗号化処理部７０３において暗号化される。暗号化された装置情報は、データ受信バス７０４を介して改めてＣＰＵ３０１へと送信される。ここで、暗号化鍵情報読み取り部７０２は、ユーザ認証のためのＩＤカードをユーザが挿入するためのカードスロットルを有し、ＩＤカードに磁気情報として記録された鍵情報を読み取ることができるようにしてもよい。
【００６３】
このように、本実施形態では、メモリユニットＡ３０４に記憶された装置情報を暗号化回路３０６によって暗号化し、暗号化された装置情報を他の画像形成装置に対して送信するようにすることで、装置情報が他の画像形成装置から読み出されてしまうことを回避している。これによって、前述したような特別なメモリユニット構成（例えば、メモリユニットＢ３０５）を持たない他の画像形成装置（例えば、メモリユニットＡ３０４のみを保持）に対しても装置情報保全のための装置情報の送信を行うことが可能となる。図８は、装置情報の保全のための特別なメモリユニットを持たない画像形成装置間で装置情報の相互保全を行う場合の様子を示す模式図である。また、上述した通信装置において、第１及び第２の記憶手段が、同一の不揮発性メモリユニットであっても、それぞれが当該不揮発性メモリ内における異なる記憶領域になるようにしてもよい。
【００６４】
さて、これまでは装置情報の保全を目的とし、他の不特定多数の画像形成装置に対して装置情報を送信し、かつ装置情報の秘匿性を維持するための方法について述べた。しかしながら、保全の対象であるとした装置情報の中には、各種装置調整情報や装置内部品の使用頻度を記録するためのカウンタ情報のように基本的には同一の画像形成装置に対してしか意味をなさない情報もある。この一方で、ファクシミリ番号、メールアドレス、又はモードメモリ情報のように他の画像形成装置においても充分有用である情報が含まれている場合もある。
【００６５】
そこで、保全対象が他の画像形成装置でも有用な情報の場合であって、かつ当該装置情報を送信してバックアップした他の画像形成装置がユーザが認知可能な範疇内にある場合には、そのユーザが意識して装置情報をバックアップ先の画像形成装置において復元することによって、該ユーザが普段使用している任意の画像形成装置での使用環境を他の画像形成装置において再現することができるような機能を本実施形態では提案する。
【００６６】
このような目的を兼ねて、ある任意の画像形成装置の装置情報を他の画像形成装置に送信する場合には、ユーザは送ろうとする装置情報を予め送り先の画像形成装置において読み出し可能なメモリユニットＡ３０４に装置情報を記録することが必要である。そこで、本実施形態では、装置情報の全てか、若しくはその一部を送信先の画像形成装置のメモリユニットＡ３０４、若しくはメモリユニットＢ３０５のどちらにするかを操作部３０２を介して指定することが可能なようにする。
【００６７】
すなわち、例えば、上記情報通信システムにおいて、第２の装置が、第１の装置に関する前記装置情報を第２の装置から読み出し可能な状態で記憶する第３の記憶手段（例えば、メモリユニットＡ）と、第１の装置に関する装置情報を第２の装置から読み出し不可能な状態で記憶する第４の記憶手段（例えば、メモリユニットＢ）とを備えており、第１の装置が、装置情報の記憶先を指定する指定手段（例えば、操作部３０２）を備え、制御手段が、指定手段で指定された指定先に基づいて第３又は第４の記憶手段のいずれかに装置情報を記憶させるようにすればよい。
【００６８】
図９は、操作部３０２の液晶表示によって装置情報の送信先の画像形成装置のメモリユニットを指定するための画面表示の一例を示す図である。装置情報等の指定においては、図９に示すように、例えば、装置情報のうち他の画像形成装置においても有用であるとユーザが判断した装置情報だけをメモリユニットＡ３０４に記録させる（例えば、「他のプリンタでアクセス可」を選択する）ことで装置情報の送信先の画像形成装置で読み出し可能とさせる。また、それ以外の情報をメモリユニットＢ３０５に記録させる（例えば、「他のプリンタでアクセス不可」を選択する）ことで秘匿性を維持することも可能である。
【００６９】
また、このように装置情報の全てか若しくはその一部を送信先の画像形成装置のメモリユニットＡ３０４に記録させる場合であっても、送信先の画像形成装置を使用する不特定多数の他ユーザの全てに対してその読み出し可能とさせたくない場合も考えられる。
【００７０】
そこで本実施形態では、装置情報を他の画像形成装置に送信する際にパスワード情報を付加して送信し、他の画像形成装置側で装置情報を再現する際に当該画像形成装置の操作部３０２を介して、そのパスワードの入力をさせるようにすることも可能である。このようにすることにより、不特定多数の他ユーザの全てに対してその読み出しを許可させないようにすることを可能とする。図１０は、本実施形態に係る他の画像形成装置側の操作部３０２の液晶表示を用いて装置情報を再現する際のパスワード入力を実行する画面表示の一例を示す図である。
【００７１】
すなわち、本発明に係る情報通信システムでは、第１の装置が、第２の記憶手段に記憶された装置情報の読み出しを許可するパスワード情報を付加するパスワード付加手段をさらに備えるようにして、制御手段が、装置情報及びパスワード情報を第２の装置に記憶させる。そして、第２の装置が、パスワード入力手段をさらに備えて、読み出し手段が、さらに、パスワード入力手段からパスワード情報と同一のパスワード情報が入力された場合、第２の記憶手段に記憶された装置情報を読み出すようにしてもよい。
【００７２】
また、本実施形態では、パスワード入力以外にさらに装置情報の読み出しに関する秘匿性を高めるための一方策として、装置情報を他の画像形成装置に送信する際に暗号化回路３０６にて暗号化してから送信し、他の画像形成装置側で暗号化された装置情報を再現するようにする。この際に、画像形成装置の暗号化回路３０６の暗号化鍵情報読み取り部７０２においてユーザ認証のためのＩＤカードをユーザ本人が挿入することにより読み出される鍵情報を用い、暗号化された装置情報を復元可能とするような指示を行うことも可能である。このようにすることにより、ＩＤカードを所有するユーザ本人以外にその読み出しを許可させないことが可能となる。
【００７３】
すなわち、本発明に係る情報通信システムは、第１の装置が、装置情報を暗号化する暗号化手段（例えば、図３の暗号化回路３０６）をさらに備え、制御手段が、暗号化手段によって暗号化された装置情報を第２の装置に記憶させることを特徴とする。さらに、上記情報通信システムでは、第１の装置が、暗号化手段における装置情報の暗号化処理の際に用いられる鍵情報を入力する第１の入力手段（例えば、図７に示すようにカードリーダによるＩＤカードに記録された鍵情報の読み取り）をさらに備えるようにしてもよい。また、第２の装置が、この鍵情報を入力する第２の入力手段（例えば、第２の装置の暗号化鍵情報読み取り部７０２）と、この鍵情報を用いて第１の装置に関する暗号化された装置情報を解読する解読手段とをさらに備えるようにしてもよい。
【００７４】
また、本実施形態では、当該画像形成装置に記憶された装置情報が他の画像形成装置に記憶された情報によって復元可能であることを前提とし、当該画像形成装置に保持されている装置情報の全てか若しくはその一部を意識的に消去することも可能である。これは、例えば、ユーザ以外の第三者である装置のメンテナンス等を行うサービスマン等が画像形成装置を操作するような場合において、当該画像形成装置より装置情報の読み出しが行われる可能性をなくすという観点から有効であると考えられる。図１１は、本実施形態に係る画像形成装置における消去実行の指示を操作部３０２よりユーザが入力することを示す模式図である。この場合、例えば、上記情報通信システムにおいて、第２の装置が、第２の記憶手段に記憶された装置情報の全て又は一部を消去する消去手段をさらに備えるようにすればよい。
【００７５】
［その他の実施形態］
上述した実施形態では、画像形成装置について有用な装置情報を他の画像形成装置と相互に保全し合うための構成について説明したが、このような構成は必ずしも画像形成装置同士で行われることを前提とするわけではない。例えば、画像形成装置以外のコンピュータ等であって、かつ有用な装置情報を当該装置が保持する必要がある場合において、同様の構成を持つものに適用してもよい。
【００７６】
この場合の装置情報としては、装置調整情報、カウンタ情報、ファクシミリ番号、電子メールアドレス又はモードメモリ情報等が考えられる。尚、当該装置情報については上記情報だけに限定されるものではなく、情報の保持を必要とするそれ以外の装置情報についても同様の処理をすることは当然可能である。
【００７７】
上述した実施形態では、メモリユニット構成として他の画像形成装置からの装置情報を記録するためのメモリユニットＢ３０５を有することとしたが、この構成は上記実施形態でも述べたように、装置情報の相互保全を目的とする本実施形態の機能を実現する上で必須の構成ではなく、こうしたメモリユニット構成を持たずに相互に装置情報を保持し合うようにすることも可能である。また、同様に暗号化回路３０７についても、本実施形態の機能を実現する上で必ずしも必須の構成ではないことはいうまでもない。
【００７８】
さらに、上述した実施形態では、装置情報の送受信を行う際にＬＡＮインタフェースを介して実行するようにしていたが、それ以外の電話回線等の公衆回線やそれ以外の一般的な通信手段によって行うものであってももちろんよい。
【００７９】
上述したように、本実施形態に係る画像形成装置等並びに複数の画像形成装置等が同一ネットワーク上に接続された情報通信システムによって、以下に示す利点が得られるようになった。
【００８０】
ある画像形成装置が他の画像形成装置に対して装置情報を記憶させる際、秘匿性の高い情報を含む同装置情報が他の画像形成装置を介して第三者に閲覧可能となってしまう可能性を考慮し、
（１）他の画像形成装置から受信された装置情報を格納するための記憶媒体として、同装置からは読み出し不可能な回路構成を有する記憶媒体に記録させる
（２）装置情報を送信する際にパスワード情報を付加して送信し、該パスワードの入力なく同装置情報を閲覧不可能とする
（３）画像形成装置内で暗号化を行った後に他画像形成装置に送信し、該暗号化のための鍵情報の入力なく同装置情報を閲覧不可能とする
等の方法によって他の画像形成装置に送信された装置情報の秘匿性を向上させることが可能になった。
【００８１】
また、他の画像形成装置内の記憶媒体に記憶させた装置情報の一部を他の画像形成装置の装置情報の代換情報として該他の画像形成装置にて復元し、利用できるようにすることで他装置におけるオペレータの操作性向上が可能になった。
【００８２】
さらに、他の画像形成装置から受信された装置情報を格納するための記憶媒体として、同装置からは読み出し不可能な回路構成を有する記憶媒体と、一方他装置より読み出し可能な回路構成を有する記憶媒体の両方を有することとし、記録させる装置情報の秘匿性の有無に応じて上記どちらの記憶媒体に記憶させるかどうかをオペレータが選択可能になった。
【００８３】
さらにまた、当該画像形成装置に記憶された装置情報が他装置に記憶された情報より復元可能であることを前提に、当該画像形成装置に保持されている装置情報の全てか若しくはその一部をオペレータが任意に消去可能とすることによって、該画像形成装置を使用する第三者的な操作者に対して、該画像形成装置に関する該装置情報を閲覧不可とさせることが可能になった。
【００８４】
尚、本発明は、上記画像形成装置以外の複数の機器（例えば、ホストコンピュータ、インタフェース機器、リーダ等）から構成されるシステムに適用してもよい。
【００８５】
また、本発明の目的は、前述した実施形態の機能を実現するソフトウェアのプログラムコードを記録した記録媒体（または記憶媒体）を、システムあるいは装置に供給し、そのシステムあるいは装置のコンピュータ（またはＣＰＵやＭＰＵ）が記録媒体に格納されたプログラムコードを読み出し実行することによっても、達成されることは言うまでもない。この場合、記録媒体から読み出されたプログラムコード自体が前述した実施形態の機能を実現することになり、そのプログラムコードを記録した記録媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【００８６】
さらに、記録媒体から読み出されたプログラムコードが、コンピュータに挿入された機能拡張カードやコンピュータに接続された機能拡張ユニットに備わるメモリに書き込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【００８７】
本発明を上記記録媒体に適用する場合、その記録媒体には、先に説明した方法に対応するプログラムコードが格納されることになる。
【００８８】
【発明の効果】
以上説明したように、本発明によれば、サーバ端末等のバックアップ手段を必要とせず、装置情報を安全に保持することができ、万が一装置内の記憶媒体等に記憶された装置情報が消失するような事態に陥っても、それを復元することができる。
【図面の簡単な説明】
【図１】本発明の一実施形態に係るカラーリーダ部１内のディジタル画像処理部２１２の詳細な構成を示すブロック図である。
【図２】本発明の一実施形態に係る画像形成装置の詳細を示す構成図である。
【図３】同実施形態に係る画像形成装置のカラーリーダ部１内の制御部２００の細部構成を示すブロック図である。
【図４】同実施形態に係る画像形成装置を接続可能な各種装置との接続するための機構について示す概要図である。
【図５】同実施形態におけるＬＡＮを介した複数の画像形成装置による装置情報の保全の概要を示す模式図である。
【図６】同実施形態に係る画像形成装置が読み書き不可能なメモリユニットＢを有し、他の画像形成装置の装置情報の相互保全を行う様子を示す模式図である。
【図７】同実施形態に係る画像形成装置の制御部２００内の暗号化回路３０６の構成を示すブロック図である。
【図８】装置情報の保全のための特別なメモリユニットを持たない画像形成装置間で装置情報の相互保全を行う場合の様子を示す模式図である。
【図９】操作部３０２の液晶表示によって装置情報の送信先の画像形成装置のメモリユニットを指定するための画面表示の一例を示す図である。
【図１０】同実施形態に係る他の画像形成装置側の操作部３０２の液晶表示を用いて装置情報を再現する際のパスワード入力を実行する画面表示の一例を示す図である。
【図１１】同実施形態に係る画像形成装置における消去実行の指示を操作部３０２よりユーザが入力することを示す模式図である。
【符号の説明】
２００　制御部
２１２　ディジタル画像処理部
２１３　外部Ｉ／Ｆ
２５３　プリンタ制御Ｉ／Ｆ
３０１　ＣＰＵ
３０２　操作部
３０３　データバスコントローラ
３０４　メモリユニットＡ
３０５　メモリユニットＢ
３０６　暗号化回路
７０２　暗号化鍵情報読み取り部
７０３　暗号化処理部
【図１】
2004145532.tif 000003
【図２】
2004145532.tif 000004
【図３】
2004145532.tif 000005
【図４】
2004145532.tif 000006
【図５】
2004145532.tif 000007
【図６】
2004145532.tif 000008
【図７】
2004145532.tif 000009
【図８】
2004145532.tif 000010
【図９】
2004145532.tif 000011
【図１０】
2004145532.tif 000012
【図１１】
2004145532.tif 000013